(57)【要約】ユーザが要求する言語により通信するシステムであって、携帯電話（１００）と固定電話（５００）とサーバ（２００）とを含む。携帯電話（１００）は、ＵＳＩＭカード（１２８）が装着されると言語情報を読取る読取り部（１２６）と、言語情報と、接続先とをサーバ（２００）に送信する通信部（１２２）と、サーバ（２００）から受信した情報を出力する音声出力部（１３８）とを含む。サーバ（２００）は、携帯電話（１００）から受信した言語情報を記憶する回路と、携帯電話（１００）から接続先を受信すると、記憶された言語情報を接続先の固定電話（５００）に送信する回路と、接続先の固定電話（５００）から言語情報に応答して送信された情報を受信したことに応答して、受信した情報を携帯電話（１００）に送信する回路とを含む。
2002060165.tif 000002
【特許請求の範囲】
【請求項１】
複数の端末と、前記端末と通信するサーバとを含む通信システムに用いられるサーバであって、
各前記端末は、前記端末に着脱自在な記録媒体から、前記端末のユーザが使用する言語を表わす言語情報を読取るための手段と、前記言語情報と、前記端末のユーザにより入力された前記接続先とを前記サーバに送信するための手段と、前記サーバから受信した情報を出力するための手段とを含み、
前記サーバは、
前記端末と通信するための通信手段と、
情報を記憶するための記憶手段と、
前記通信手段と前記記憶手段とに接続され、前記通信手段と前記記憶手段とを制御するための制御手段とを含み、
前記制御手段は、
前記端末から前記通信手段を介して前記言語情報を受信したことに応答して、前記受信した言語情報を記憶するように、前記記憶手段を制御するための手段と、
前記端末から前記通信手段を介して前記接続先を受信したことに応答して、前記記憶手段に記憶された言語情報を前記接続先の端末に送信するように、前記通信手段を制御するための手段と、
前記接続先の端末から前記言語情報に応答して送信されてくる情報を、前記通信手段を介して受信したことに応答して、前記接続先から受信した情報を前記端末に送信するように、前記通信手段を制御するための手段とを含むサーバ。
【請求項２】
前記言語情報に応答して送信されてくる情報は、前記言語情報に対応した言語により表わされた音声情報である、請求項１に記載のサーバ。
【請求項３】
前記言語情報に応答して送信されてくる情報は、前記言語情報に対応した言語により表わされた文字情報である、請求項１に記載のサーバ。
【請求項４】
前記言語情報を前記接続先の端末に送信するように制御するための手段は、前記サーバと前記接続先の端末との通信回線が開く前に、前記接続先が前記言語情報を受信するように、前記通信手段を制御するための手段を含む、請求項１に記載のサーバ。
【請求項５】
前記言語情報を前記接続先の端末に送信するように制御するための手段は、前記サーバと前記接続先の端末との通信回線が開いた後に、前記接続先が前記言語情報を受信するように、前記通信手段を制御するための手段を含む、請求項１に記載のサーバ。
【請求項６】
前記制御手段は、通信チャネルと制御チャネルとにより、前記サーバと前記接続先とを接続するための手段をさらに含み、
前記言語情報を前記接続先の端末に送信するように制御するための手段は、前記制御チャネルを介して、前記接続先が前記言語情報を受信するように、前記通信手段を制御するための手段を含む、請求項１に記載のサーバ。
【請求項７】
端末と、前記端末と通信するサーバとを含む通信システムに用いられる端末であって、前記サーバは、前記端末により指定された接続先の端末に接続され、前記端末から受信した言語情報を記憶するための手段と、前記端末から前記接続先を受信したことに応答して、前記言語情報を前記接続先に送信するための手段と、前記言語情報に応答して送信されてくる情報を受信するための手段と、前記接続先の端末から受信した情報を前記端末に送信するための手段とを含み、
前記端末は、
前記サーバと通信するための通信手段と、
前記端末に着脱自在な記録媒体から、情報を読取るための読取り手段と、
前記端末のユーザが、前記接続先を入力するための入力手段と、
前記サーバから受信した情報を出力するための出力手段と、
前記通信手段と前記読取り手段と前記入力手段と前記出力手段とに接続され、前記端末を制御するための制御手段とを含み、前記記録媒体には、前記端末のユーザが使用する言語を表わす言語情報が記憶され、
前記制御手段は、
予め定められた条件に基づいて、前記読取り手段により読取られた前記言語情報を、前記サーバに送信するように前記通信手段を制御するための手段と、
前記入力手段を用いて前記接続先が入力されたことに応答して、前記接続先を前記サーバに送信するように前記通信手段を制御するための手段と、
前記通信手段を介して前記サーバから受信した情報を出力するように、前記出力手段を制御するための手段とを含む端末。
【請求項８】
前記端末は、移動端末である請求項７に記載の端末。
【請求項９】
前記予め定められた条件は、前記記録媒体が装着されたことを前記読取り手段が検知したという条件である、請求項７に記載の端末。
【請求項１０】
前記記録媒体は、予め定められたデータ形式により、前記言語情報が記憶された記録媒体である、請求項７に記載の端末。
【請求項１１】
複数の端末と、前記端末と通信するサーバとを含む通信システムに用いられるサーバにおける通信方法であって、
各前記端末は、前記端末に着脱自在な記録媒体から、前記端末のユーザが使用する言語を表わす言語情報を読取って、前記言語情報と、前記端末のユーザにより入力された前記接続先とを前記サーバに送信して、前記サーバから受信した情報を出力し、
前記通信方法は、
前記端末から前記言語情報を受信したことに応答して、前記受信した言語情報を記憶するステップと、
前記端末から前記通信手段を介して前記接続先を受信したことに応答して、前記言語情報を記憶するステップにて記憶された言語情報を、前記接続先の端末に送信するステップと、
前記接続先の端末から前記言語情報に応答して送信されてくる情報を受信したことに応答して、前記接続先から受信した情報を前記端末に送信するステップとを含む通信方法。
【請求項１２】
前記言語情報に応答して送信されてくる情報は、前記言語情報に対応した言語により表わされた音声情報である、請求項１１に記載の通信方法。
【請求項１３】
前記言語情報に応答して送信されてくる情報は、前記言語情報に対応した言語により表わされた文字情報である、請求項１１に記載の通信方法。
【請求項１４】
前記言語情報を前記接続先の端末に送信するステップは、前記サーバと前記接続先の端末との通信回線が開く前に、前記接続先が前記言語情報を受信するように、前記言語情報を送信するステップを含む、請求項１１に記載の通信方法。
【請求項１５】
前記言語情報を前記接続先の端末に送信するステップは、前記サーバと前記接続先の端末との通信回線が開いた後に、前記接続先が前記言語情報を受信するように、前記言語情報を送信するステップを含む、請求項１１に記載の通信方法。
【請求項１６】
前記サーバと前記接続先とは、通信チャネルと制御チャネルとにより、接続され、
前記言語情報を前記接続先の端末に送信するステップは、前記制御チャネルを介して、前記接続先が前記言語情報を受信するように、前記言語情報を送信するステップを含む、請求項１１に記載の通信方法。
【発明の詳細な説明】
技術分野
この発明は、複数の言語を用いて通信するシステムに関し、特に、携帯電話において、ユーザが要求する言語を用いて通信する技術に関する。
背景技術
インターネットなどにおいて、ユーザが理解できない言語で情報が提供される場合がある。このようなことを避けるために、ユーザは、自己が理解できる言語により情報を提供するコンテンツサーバなどを予め把握しておき、そのサーバに対して情報を要求する。また、移動通信システムにおいて、携帯電話が在圏する通信網から言語情報を受信して、携帯電話のユーザが、受信した言語情報の中から１つの言語を選択して、通信を行なう方法がある。このような通信方法として、以下のものがある。
特開平１１−８８５３０号公報に開示される通信方法は、複数の言語の１つを選択して通信する通信網における通信方法であって、通信網の特定の装置が、その通信網で利用できる複数の言語を示す情報をその通信網内に報知するステップと、通信端末が、報知された情報を受信するステップと、通信端末が、その情報に含まれる複数の言語から１つの言語を選択して通信するステップとを含む。
この通信方法によれば、通信網の交換装置が、その通信網で利用可能な複数の言語を示す情報を通信網内に報知する。移動通信システムにおいては、無線基地局が、その基地局の識別情報または呼出しゾーンの識別情報などを報知している。無線基地局は、この報知情報とともにこの通信網で使用できる複数の言語を示す情報を報知する。通信端末のユーザは、報知された情報に含まれる複数の言語から自己が利用したい言語を選択する。これにより、選択された言語を用いて通信を行なうことができる。
しかしながら、前述の公報に開示された通信方法は、通信網の特定の機器から複数の言語を示す情報が報知される場合に限り実現できるものにすぎない。
また、前述の公報には、携帯電話の新規契約時に、携帯電話毎に使用する言語を表わす情報を、通信網の特定の機器に登録する通信方法が開示されている。
しかしながら、この通信方法では、携帯電話のユーザが一時的に変わり、使用したい言語が変わると、ユーザが要求する言語による通信システムを実現できない。
そこで、この発明の目的は、携帯電話などの端末において、通信網からの送信される言語情報に依存しないで、ユーザが要求する言語により通信するシステムに用いられるサーバ、端末および通信方法を提供することである。
この発明の他の目的は、ユーザが変わった場合でも、新規契約時の登録を変更することなく、ユーザが要求する言語により通信するシステムに用いられるサーバ、端末および通信方法を提供することである。
この発明のさらに他の目的は、ユーザが変わった場合でも、容易にユーザが要求する言語による通信に変更することができる、サーバ、端末および通信方法を提供することである。
この発明のさらに他の目的は、ユーザが要求する言語により音声情報を通信することができる、サーバ、端末および通信方法を提供することである。
この発明のさらに他の目的は、ユーザが要求する言語により文字情報を通信することができる、サーバ、端末および通信方法を提供することである。
発明の開示
この発明に係るサーバは、複数の端末と、端末と通信するサーバとを含む通信システムに用いられるサーバである。各端末は、端末に着脱自在な記録媒体から、端末のユーザが使用する言語を表わす言語情報を読取るための手段と、言語情報と、端末のユーザにより入力された接続先とをサーバに送信するための手段と、サーバから受信した情報を出力するための手段とを含む。サーバは、端末と通信するための通信手段と、情報を記憶するための記憶手段と、通信手段と記憶手段とに接続され、通信手段と記憶手段とを制御するための制御手段とを含む。制御手段は、端末から通信手段を介して言語情報を受信したことに応答して、受信した言語情報を記憶するように、記憶手段を制御するための手段と、端末から通信手段を介して接続先を受信したことに応答して、記憶手段に記憶された言語情報を接続先の端末に送信するように、通信手段を制御するための手段と、接続先の端末から言語情報に応答して送信されてくる情報を、通信手段を介して受信したことに応答して、接続先から受信した情報を端末に送信するように、通信手段を制御するための手段とを含む。
端末は、端末に着脱自在な記録媒体から、端末のユーザが使用する言語を表わす言語情報を読取ってサーバに送信する。サーバは、端末から通信手段を介して言語情報を受信すると、受信した言語情報を記憶手段に記憶する。サーバは、端末から通信手段を介して接続先を受信すると、記憶手段に記憶された言語情報を接続先の端末に送信する。サーバは、接続先の端末から言語情報に応答して送信されてくる情報を、通信手段を介して受信すると、接続先から受信した情報を端末に送信する。これにより、たとえば、端末は、記録媒体が装着されたことを検知すると、サーバに言語情報を送信する。サーバは、受信した言語情報を接続先の端末に送信し、記録媒体に記録された言語に応答する音声情報および言語情報を受信して、端末に送信できる。
より好ましくは、言語情報を接続先の端末に送信するように制御するための手段は、サーバと接続先の端末との通信回線が開く前に、接続先が言語情報を受信するように、通信手段を制御するための手段を含む。
これにより、サーバと接続先の端末との間における通信において、サーバは、通信回線が開く前に、言語情報を接続先の端末に送信できる。接続先の端末は、通信回線が開く前に、言語情報を表示することができる。接続先の端末のユーザは、表示された言語情報を確認して、通信回線を開くか否かを判断できる。
さらに好ましくは、言語情報を接続先の端末に送信するように制御するための手段は、サーバと接続先の端末との通信回線が開いた後に、接続先が言語情報を受信するように、通信手段を制御するための手段を含む。
これにより、サーバと接続先の端末との間における通信において、従来通りの通信手順を用いて言語情報を送信できる。新たに通信に関する規格を設けることなく、サーバは、言語情報を接続先の端末に送信することができる。
さらに好ましくは、制御手段は、通信チャネルと制御チャネルとにより、サーバと接続先とを接続するための手段をさらに含み、言語情報を接続先の端末に送信するように制御するための手段は、制御チャネルを介して、接続先が言語情報を受信するように、通信手段を制御するための手段を含む。
これにより、サーバと接続先の端末との間における通信において、通信チャネルとは別に設けられる制御チャネルを用いて、サーバは、言語情報を接続先の端末に送信することができる。
この発明に係る端末は、端末と、端末と通信するサーバとを含む通信システムに用いられる端末である。サーバは、端末により指定された接続先の端末に接続され、端末から受信した言語情報を記憶するための手段と、端末から接続先を受信したことに応答して、言語情報を接続先に送信するための手段と、言語情報に応答して送信されてくる情報を受信するための手段と、接続先の端末から受信した情報を端末に送信するための手段とを含む。端末は、サーバと通信するための通信手段と、端末に着脱自在な記録媒体から、情報を読取るための読取り手段と、端末のユーザが、接続先を入力するための入力手段と、サーバから受信した情報を出力するための出力手段と、通信手段と読取り手段と入力手段と出力手段とに接続され、端末を制御するための制御手段とを含む。記録媒体には、端末のユーザが使用する言語を表わす言語情報が記録されている。制御手段は、予め定められた条件に基づいて、読取り手段により読取られた言語情報を、サーバに送信するように通信手段を制御するための手段と、入力手段を用いて接続先が入力されたことに応答して、接続先をサーバに送信するように通信手段を制御するための手段と、通信手段を介してサーバから受信した情報を出力するように、出力手段を制御するための手段とを含む。
端末は、記録媒体から端末のユーザが使用する言語を表わす言語情報を読取る。端末は、予め定められた条件に基づいて、読取り手段により読取られた言語情報を、サーバに送信する。端末は、入力手段を用いて接続先が入力されると、接続先をサーバに送信する。端末は、通信手段を介してサーバから受信した情報を出力手段に出力する。これにより、たとえば、端末が記録媒体が装着されたことを検知すると、サーバに言語情報を送信する。端末は、サーバから、記録媒体に記録された言語に応答する音声情報および言語情報を受信して、出力できる。
より好ましくは、予め定められた条件は、記録媒体が装着されたことを読取り手段が検知したという条件である。
これにより、端末に記録媒体が装着されると、読取り手段が言語情報を読取る。携帯電話のユーザが変わって、別の記録媒体が携帯電話に装着されると、装着された記録媒体に記録された別の言語情報がサーバに送信される。
さらに好ましくは、記録媒体は、予め定められたデータ形式により、言語情報が記憶された記録媒体である。
記録媒体には、たとえば次世代携帯電話における規格であるＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）に準拠して、言語情報が記録される。ＵＳＩＭは、国際的な標準規格であるため、ユーザの自国以外において記録媒体を端末に装着すると、ユーザが自国において使用する言語を示す言語情報が読取られ、その言語を用いた通信を実現できる。
この発明に係る通信方法は、複数の端末と、端末と通信するサーバとを含む通信システムに用いられるサーバにおける通信方法である。各端末は、端末に着脱自在な記録媒体から、端末のユーザが使用する言語を表わす言語情報を読取って、言語情報と、端末のユーザにより入力された接続先とをサーバに送信して、サーバから受信した情報を出力する。通信方法は、端末から言語情報を受信したことに応答して、受信した言語情報を記憶するステップと、端末から通信手段を介して接続先を受信したことに応答して、言語情報を記憶するステップにて記憶された言語情報を、接続先の端末に送信するステップと、接続先の端末から言語情報に応答して送信されてくる情報を受信したことに応答して、接続先から受信した情報を端末に送信するステップとを含む。
端末は、端末に着脱自在な記録媒体から、端末のユーザが使用する言語を表わす言語情報を読取ってサーバに送信する。サーバは、端末から言語情報を受信すると、受信した言語情報を記憶する。サーバは、端末から接続先を受信すると、記憶された言語情報を接続先の端末に送信する。サーバは、接続先の端末から言語情報に応答して送信されてくる情報を受信すると、接続先から受信した情報を端末に送信する。これにより、たとえば、端末は、記録媒体が装着されたことを検知すると、サーバに言語情報を送信する。サーバは、受信した言語情報を接続先の端末に送信し、記録媒体に記録された言語に応答する音声情報および言語情報を受信して、端末に送信できる。
発明を実施するための最良の形態
以下、図面を参照しつつ、本発明の実施例について説明する。以下の説明では、同一の部品には同一の符号を付してある。それらの名称および機能も同じである。したがってそれらについての詳細な説明の繰返しは適宜省略する。
第１の実施例
図１を参照して、本実施例に係る通信システムは、携帯電話１００と固定電話５００またはコンテンツサーバ６００との間における移動通信に適用されるシステムである。図１に示すように、通信システムは、携帯電話１００と、携帯電話１００と無線通信する際の通信接続等の処理を行なう基地局３００と、基地局３００と携帯電話網２５０で接続され、携帯電話の通信会社などにより運営される基地局側サーバ２００（以下、単にサーバ２００という。）と、サーバ２００に接続され、携帯電話１００と携帯電話網２５０以外のネットワークとが通信するためのネットワーク制御局８００の制御局側サーバ９００と、制御局側サーバ９００に接続され、携帯電話１００と固定電話５００とが通信するための交換局４００と、交換局４００に接続された固定電話５００とを含む。制御局側サーバ９００は、インターネット７００を介してコンテンツサーバ６００と接続されている。コンテンツサーバ６００は、携帯電話１００からの要求に応じて送信する文字情報を記憶している。固定電話５００は、制御局側サーバ９００を介してサーバ２００から受信した情報に基づいて、データを表示する表示部と、制御局側サーバ９００とサーバ２００と基地局３００とを介して、携帯電話１００に自動で応答を再生するメッセージ再生部とを含む。このメッセージ再生部は、複数の言語を切換えて、予め録音された音声を出力できる。
なお、携帯電話網２５０、ネットワーク制御局８００、インターネット７００および交換局４００の接続形態は、様々な形態があり、上述の形態に限定されるものではない。たとえば、基地局３００にサーバ２００を含む形態、ネットワーク制御局８００に制御局側サーバ９００およびサーバ２００の機能を集約した形態等である。
本発明に係る通信システムは、携帯電話１００と固定電話５００との間で携帯電話１００のユーザが利用したい言語を用いて通話をしたり、コンテンツサーバ６００から携帯電話１００のユーザが利用したい言語により記述されたコンテンツを受信したりするものである。
図２を参照して、本実施例に係る携帯電話１００は、通話相手である固定電話５００の電話番号、コンテンツサーバ６００のＵＲＬ（Ｕｎｉｆｏｒｍ  ＲｅｓｏｕｒｃｅＬｏｃａｔｏｒｓ）などを入力するためのテンキーなどを含む操作部１３２と、ＬＣＤ（Ｌｉｑｕｉｄ  Ｃｒｙｓｔａｌ  Ｄｉｓｐｌａｙ）などの表示部１３４、マイクを含む音声入力部１３６と、スピーカなどを含む音声出力部１３８とを含む。この携帯電話１００は、後述するＵＳＩＭカード１２８を装着するためのスロットを有する。
図３に、携帯電話１００の制御ブロックについて説明する。図３に示すように、携帯電話１００は、この携帯電話１００の全体を制御する制御部１２０と、固定電話５００およびコンテンツサーバ６００と通信するための通信部１２２と、制御部１２０において実行されるプログラム、そのプログラムの中間データおよび通信部１２２を介してサーバ２００から受信したデータを記憶する記憶部１２４と、入出力部１３０とを含む。この携帯電話１００は、さらに、ＵＳＩＭカード１２８を読取るＵＳＩＭカード読取り部１２６を含む。
入出力部１３０は、この携帯電話１００のユーザが、固定電話５００およびコンテンツサーバ６００のＵＲＬなどを入力したり、各種の設定を入力したりする操作部１３２と、テンキーなどにより入力された内容を表示したり、サーバ２００から受信した情報を表示したりする表示部１３４と、マイクに入力された音声をデジタル信号に変換して制御部１２０に送信する音声入力部１３６と、制御部１２０からデジタル信号を受信してアナログ信号に変換してスピーカから音を出力する音声出力部１３８とを含む。
図４に、サーバ２００の一例であるコンピュータの外観を示す。図４を参照してこのコンピュータは、ＦＤ（Ｆｌｅｘｉｂｌｅ  Ｄｉｓｋ）駆動装置２０６およびＣＤ−ＲＯＭ（Ｃｏｍｐａｃｔ  Ｄｉｓｃ−Ｒｅａｄ  Ｏｎｌｙ  Ｍｅｍｏｒｙ）駆動装置２０８を備えたコンピュータ本体２０２と、モニタ２０４と、キーボード２１０と、マウス２１２とを含む。
図５に、このコンピュータの構成をブロック図形式で示す。図５に示すように、コンピュータ本体２０２は、上記したＦＤ駆動装置２０６およびＣＤ−ＲＯＭ駆動装置２０８に加えて、相互にバスで接続されたＣＰＵ（Ｃｅｎｔｒａｌ  ＰｒｏｃｅｓｓｉｎｇＵｎｉｔ）２２０と、メモリ２２２と、固定ディスク２２４とを含む。ＦＤ駆動装置２０６にはＦＤ２１６が装着される。ＣＤ−ＲＯＭ駆動装置２０８にはＣＤ−ＲＯＭ２１８が装着される。
通信システムにおいて所定の言語で通信する方法は、コンピュータハードウェアとＣＰＵ２２０により実行されるソフトウェアとにより実現される。一般的にこうしたソフトウェアは、ＦＤ２１６、ＣＤ−ＲＯＭ２１８などの記録媒体に格納されて流通し、ＦＤ駆動装置２０６またはＣＤ−ＲＯＭ駆動装置２０８などにより記録媒体から読取られて固定ディスク２２４に一旦格納される。さらに固定ディスク２２４からメモリ２２２に読出されて、ＣＰＵ２２０により実行される。図４および図５に示したコンピュータのハードウェア自体は一般的なものである。したがって、本発明の最も本質的な部分は、ＦＤ２１６、ＣＤ−ＲＯＭ２１８、固定ディスク２２４などの記録媒体に記録されたソフトウェアである。
なお、図４および図５に示したコンピュータ自体の動作は周知であるので、ここではその詳細な説明は繰返さない。
図６を参照して、ＵＳＩＭカード１２８に記録されるデータについて説明する。ＵＳＩＭカード１２８に記憶されるデータは、次世代携帯電話の世界標準方式の１つであるＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の仕様を検討する３ＧＰＰ（３ｒｄ  Ｇｅｎｅｒａｔｉｏｎ  Ｐａｒｔｎｅｒｓｈｉｐ  Ｐｒｏｊｅｃｔ）により規定されたものである。図６は、３ＧＰＰにより規定されたデータの一部を示すものである。図６に示すように、ＵＳＩＭカード１２８に記録されるデータは、階層構造を有する。この中で、言語に関する情報は、ＬＩ（Ｌａｎｇｕａｇｅ  Ｉｎｄｉｃａｔｉｏｎ）として記憶される。ＬＩとして、たとえば、「日本語」、「英語」、「中国語」などの言語名が記憶されている。
図７を参照して、携帯電話１００から携帯電話網２５０および基地局３００を介してサーバ２００に送信される言語情報について説明する。図７に示すように、言語情報は、通信ヘッダ、電話番号、Ｅ−ｍａｉｌアドレスおよび言語データとを含む。通信ヘッダにより、この情報が言語情報であることを識別できる。言語データにより、このＵＳＩＭカードの使用者が使用する言語を特定できる。電話番号は、携帯電話１００の電話番号であり、Ｅ−ｍａｉｌアドレスは、携帯電話１００毎に設定されたメールアドレスである。コンテンツサーバ６００は、このＥ−ｍａｉｌアドレスにより、コンテンツを所定の携帯電話１００に送信することができる。
図８を参照して、サーバ２００の固定ディスク２２４に記憶されるデータベースについて説明する。図８に示すように、データベースは、携帯電話１００から携帯電話網２５０および基地局３００を介してサーバ２００が受信した言語情報に含まれる言語データとＥ−ｍａｉｌアドレスとを、携帯電話１００の電話番号に対応付けて記憶する。また、データには、固定ディスク２２４に記憶されるデータベースのデータを一意に特定できるユーザＩＤ（Ｉｄｅｎｔｉｆｉｃａｔｉｏｎ）が付されている。ＵＳＩＭカードのＬＩとして記憶されている「日本語」、「英語」、「中国語」などの言語名が、図８に示すデータベースの言語データとして記憶される。
図９に示すフローチャートを参照して、本実施例に係る通信システムの携帯電話１００、携帯電話網２５０に含まれる基地局３００およびサーバ２００において、言語データを登録する処理について説明する。なお、以下に示す基地局３００の処理は、詳しくは、基地局３００の制御部にて行なわれる。
ステップ（以下、ステップをＳと略す。）１００にて、携帯電話１００の制御部１２０は、携帯電話１００の電源が入れられたか否かを判断する。電源が入れられると（Ｓ１００にてＹＥＳ）、処理はＳ１０２へ移される。一方、電源が入れられないと（Ｓ１００にてＮＯ）、処理はＳ１００へ戻され、電源が入れられるまで待つ。
Ｓ１０２にて、制御部１２０は、基地局３００から報知情報を受信したか否かを判断する。報知情報は、基地局３００の識別情報あるいは呼出しゾーンの識別情報などを含む。基地局３００から報知情報を受信すると（Ｓ１０２にてＹＥＳ）、処理はＳ１０４へ移される。一方、基地局３００から報知情報を受信しないと（Ｓ１０２にてＮＯ）、処理はＳ１０２へ戻され、報知情報を受信するまで待つ。
Ｓ１０４にて、制御部１２０は、ＵＳＩＭカード読取り部１２６により、ＵＳＩＭカードに記録されたデータを読取る。
Ｓ１０６にて、制御部１２０は、読取ったＵＳＩＭカードのデータの中から、言語に関する情報（ＬＩ）を取得したか否かを判断する。この判断は、ＵＳＩＭカードの中で言語に関する情報（ＬＩ）が格納されている場所にデータが記録されているか否かにより行なわれる。言語に関する情報（ＬＩ）を取得すると（Ｓ１０６にてＹＥＳ）、処理はＳ１０８へ移される。一方、言語に関する情報（ＬＩ）を取得できないと（Ｓ１０６にてＮＯ）、Ｓ１０８における処理を行なわずに携帯電話１００における処理は終了する。
Ｓ１０８にて、制御部１２０は、図７に示す言語情報を生成して、基地局３００に送信する。その後、携帯電話１００における処理は終了する。
Ｓ３００にて、基地局３００は、報知情報を携帯電話１００に送信する。Ｓ３０２にて、基地局３００は、携帯電話１００から言語情報を受信したか否かを判断する。携帯電話１００から言語情報を受信すると（Ｓ３０２にてＹＥＳ）、処理はＳ３０４へ移される。一方、携帯電話１００から言語情報を受信しないと（Ｓ３０２にてＮＯ）、処理はＳ３０６へ移される。
Ｓ３０４にて、基地局３００は、携帯電話１００から受信した言語情報をサーバ２００に送信する。Ｓ３０６にて、基地局３００は、自己のサービスを停止するか否かを判断する。この判断は、予め定められた基地局３００の稼動スケジュールと現在日時とに基づいて行なわれる。基地局３００がサービスを停止する場合には（Ｓ３０６にてＹＥＳ）、処理は終了する。一方、基地局３００がサービスを停止しない場合には（Ｓ３０６にてＮＯ）、処理はＳ３００へ戻される。
Ｓ２００にて、サーバ２００のＣＰＵ２２０は、基地局３００から言語情報を受信したか否かを判断する。基地局３００から言語情報を受信すると（Ｓ２００にてＹＥＳ）、処理はＳ２０２へ移される。一方、基地局３００から言語情報を受信しないと（Ｓ２００にてＮＯ）、処理はＳ２０４へ移される。
Ｓ２０２にて、ＣＰＵ２２０は、基地局３００から受信した言語情報に基づいて、固定ディスク２２４に図８に示すデータベースを記憶する。
Ｓ２０４にて、ＣＰＵ２２０は、自己のサービスを停止するか否かを判断する。この判断は、予め定められたサーバ２００の稼動スケジュールと現在日時とに基づいて行なわれる。サーバ２００がサービスを停止する場合には（Ｓ２０４にてＹＥＳ）、処理は終了する。一方、サーバ２００がサービスを停止しない場合には（Ｓ２０４にてＮＯ）、処理はＳ２００へ戻される。
なお、上述の説明では、Ｓ３００〜Ｓ３０６までの処理を基地局３００で、Ｓ２００〜Ｓ２０４までの処理をサーバ２００で行なうとして説明したが、これらの処理を全てサーバ２００で行なう形態であってもよい。また、通信接続に関する処理のみを基地局３００で行なうようにしてもよい。
図１０に示すフローチャートを参照して、本実施例に係る通信システムのサーバ２００における通話処理について説明する。
Ｓ２１０にて制御部２２０は、携帯電話網２５０および基地局３００を介して携帯電話１００から固定電話５００への接続要求を受信したか否かを判断する。このとき、接続先の固定電話５００の電話番号と、発信元の携帯電話１００の電話番号とを携帯電話網２５０および基地局３００を介して受信する。携帯電話１００から接続要求を受信すると（Ｓ２１０にてＹＥＳ）、処理はＳ２１２へ移される。一方、携帯電話１００から接続要求を受信しないと（Ｓ２１０にてＮＯ）、処理はＳ２１０へ戻され、接続要求を受信するまで待つ。
Ｓ２１２にて、ＣＰＵ２２０は、ユーザ認証を行なう。ユーザ認証は、受信した携帯電話１００の電話番号と図８に示す固定ディスク２２４に記憶されたデータベースとに基づいて行なわれる。この処理により、接続要求を送信してきた携帯電話１００が一意に特定される。Ｓ２１４にて、ＣＰＵ２２０は、Ｓ２１２にて特定した携帯電話１００に対応して記憶された言語データを読取る。Ｓ２１６にて、ＣＰＵ２２０は、携帯電話１００と固定電話５００との間の通信チャネルを割当てる。このとき、サーバ２００は、ネットワーク制御局８００の制御局側サーバ９００に、Ｓ２１０にて受信した接続先の固定電話５００の電話番号を送信する。制御局側のサーバ９００は、交換局４００を介して固定電話５００との通話チャネルを割当てる。その結果、サーバ２００と固定電話５００との間の通信チャネルが割当てられるようになる。
Ｓ２１８にて、ＣＰＵ２２０は、割当てられた通信チャネルを用いて、言語データを、交換局４００および制御局側サーバ９００を介して、固定電話５００に送信する。Ｓ２２０にて、ＣＰＵ２２０は、固定電話５００に対して呼出し音を発生させるコマンドを、交換局４００および制御局側サーバ９００を介して、送信する。Ｓ２２２にて、ＣＰＵ２２０は、固定電話５００からの応答に対応して、サーバ２００と固定電話５００との間の、交換局４００および制御局側サーバ９００を介した通信チャネルを開いて通信可能な状態にする。このとき、サーバ２００は、交換局４００および制御局側サーバ９００を介して、固定電話５００と通信可能な状態である。また、サーバ２００は、携帯電話網２５０および基地局３００を介して、携帯電話と通信可能な状態である。その結果、携帯電話１００と固定電話５００とが通信可能な状態になる。
Ｓ２２４にて、ＣＰＵ２２０は、携帯電話１００と固定電話５００との間の通信処理を行なう。この通信処理では、固定電話５００から送信された、言語データに対応した音声情報を、交換局４００および制御局側サーバ９００を介して、ＣＰＵ２２０が受信して、ＣＰＵ２２０は、携帯電話網２５０および基地局３００を介して、携帯電話１００に、その音声情報を送信する。
Ｓ２２６にて、ＣＰＵ２２０は、通話終了であるか否かを判断する。この判断は、携帯電話１００または固定電話５００のいずれかから通話終了コマンドが送信されたか否かにより行なわれる。通話終了であると（Ｓ２２６にてＹＥＳ）、処理はＳ２２８へ移される。一方、通話終了でないと（Ｓ２２６にてＮＯ）、処理はＳ２２４へ戻される。
Ｓ２２８にて、ＣＰＵ２２０は、サーバ２００と固定電話５００との間の通信回線を切断する。
なお、上述のＳ２１０の接続処理、Ｓ２２６の接続終了処理等の通信接続に関する処理を、サーバ２００ではなく基地局３００にて行なう形態であってもよい。
図１１に示すフローチャートを参照して、本実施例に係る通信システムの固定電話５００における通話処理について説明する。
Ｓ５００にて、固定電話５００は、交換局４００および制御局側サーバ９００を介して、サーバ２００から言語データを受信したか否かを判断する。この処理は、Ｓ２１８に応答する処理である。サーバ２００から言語データを受信すると（Ｓ５００にてＹＥＳ）、処理はＳ５０２へ移される。一方、サーバ２００から言語データを受信しないと（Ｓ５００にてＮＯ）、処理はＳ５００へ戻され、サーバ２００から言語データを受信するまで待つ。
Ｓ５０２にて、固定電話５００は、その表示部に言語データにより表わされる言語名を表示する。Ｓ５０４にて、固定電話５００は、受信した言語データに基づいて、自動応答メッセージの言語を切換える。
以上のような構造およびフローチャートに基づく、通信システムの動作について説明する。
［言語データ登録動作］
携帯電話１００の電源が入れられて（Ｓ１００にてＹＥＳ）、携帯電話１００が基地局３００から報知情報を受信すると（Ｓ１０２にてＹＥＳ）、携帯電話１００のＵＳＩＭカード読取り部１２６によりＵＳＩＭカードのデータが読取られる（Ｓ１０４）。携帯電話１００が言語に関する情報（ＬＩ）を取得すると（Ｓ１０６にてＹＥＳ）、基地局３００に言語情報を送信する（Ｓ１０８）。
携帯電話１００から基地局３００に言語情報が送信されると、基地局３００が言語情報を受信する（Ｓ３０２にてＹＥＳ）。基地局３００は、携帯電話網２５０を介して、受信した言語情報をサーバ２００に送信する（Ｓ３０４）。
基地局３００から携帯電話網２５０を介してサーバ２００に言語情報が送信されると、サーバ２００が言語情報を受信する（Ｓ２００にてＹＥＳ）。サーバ２００は、受信した言語情報に基づいて、言語データなどを固定ディスク２２４のデータベースに記憶する（Ｓ２０２）。
携帯電話１００の電源が切られて、ＵＳＩＭカードが交換された後に携帯電話１００の電源が再度入れられると、交換されたＵＳＩＭカードに記録された言語に関する情報（ＬＩ）が、サーバ２００の固定ディスク２２４における所定のユーザの言語データに上書きされる。
［通話動作］
携帯電話１００から固定電話５００への接続要求を、サーバ２００が携帯電話網２５０および基地局３００を介して受信すると（Ｓ２１０にてＹＥＳ）、接続要求に含まれる発信元の携帯電話１００の電話番号に基づいて、ユーザ認証が行なわれる（Ｓ２１２）。固定ディスク２２４のデータベースから該当するユーザの言語データが読み出され（Ｓ２１４）、携帯電話１００と固定電話５００との間の、交換局４００および制御局側サーバ９００を介した通信チャネルが割当てられる（Ｓ２１６）。割当てられた通信チャネルを用いて、読み出された言語データが、交換局４００および制御局側サーバ９００を介して、固定電話５００に送信される（Ｓ２１８）。その後、サーバ２００から固定電話５００に、呼出し音を発生させる指示が送信され（Ｓ２２０）、固定電話５００が応答すると、携帯電話１００と固定電話５００とが通信可能な状態になる（Ｓ２２２）。
交換局４００および制御局側サーバ９００を介して、言語データをサーバ２００から受信した固定電話においては（Ｓ５００にてＹＥＳ）、呼出し音が鳴る前に、固定電話５００の表示部に言語データにより表わされる言語が表示される（Ｓ５０２）。受信した言語データに基づいて、自動応答メッセージの言語が切換えられる（Ｓ５０４）。なお、固定電話５００においては、表示部に表示された言語を見た固定電話５００のユーザが自ら受話器を上げて、表示部に表示された言語で話してもよい。
以上のようにして、本発明によれば、携帯電話のユーザが、言語情報を携帯電話に設定することなく、携帯電話に着脱自在な記録媒体に記録された言語情報の言語を用いて、携帯電話のユーザは、固定電話のユーザと通話できる。
第２の実施例
以下に、本発明の第２の実施例について説明する。以下の説明では、前述の第１の実施例と同じ構成、フローチャートについては、同じ参照符号を付してある。そのため、ここでの詳細な説明は繰返さない。
本実施例においては、サーバ２００における通話処理の手順が、前述の第１の実施例と異なる。この手順について説明する。
図１２に示すフローチャートを参照して、本実施例に係るサーバ２００における通話処理について説明する。なお、以下に説明する図１２において、前述の図１０と同じ処理を行なうステップについては同じステップ番号を付してある。そのため、ここでは、それらについての詳細な説明は繰返さない。
Ｓ２１６における処理の後、Ｓ２３０にて、ＣＰＵ２２０は、固定電話５００に対して呼出し音を発生させるコマンドを、交換局４００および制御局側サーバ９００を介して送信する。
Ｓ２３２にて、ＣＰＵ２２０は、サーバ２００と固定電話５００との間の通信チャネルを開いて、サーバ２００と固定電話５００とを通信可能な状態にする。このとき、サーバ２００は、交換局４００および制御局側サーバ９００を介して、固定電話５００と通信可能な状態である。また、サーバ２００は、携帯電話網２５０および基地局３００を介して、携帯電話１００と通信可能な状態である。その結果、携帯電話１００と固定電話５００とが通信可能な状態になる。
Ｓ２３４にて、ＣＰＵ２２０は、割当てられた通信チャネルを用いて、言語データを固定電話５００に送信する。この後、処理はＳ２２４に移され、ＣＰＵ２２０は、携帯電話１００と固定電話５００との間の通信処理を行なう。この通信処理では、固定電話５００から送信された、言語データに対応した音声情報をＣＰＵ２２０が受信して、ＣＰＵ２２０は、携帯電話１００に、その音声情報を送信する。
なお、上述のＳ２１０の接続処理、Ｓ２２６の接続終了処理等の通信接続に関する処理を、サーバ２００ではなく基地局３００にて行なう形態であってもよい。
以上のような構造およびフローチャートに基づく、通信システムの動作について説明する。
［通話動作］
携帯電話１００から固定電話５００への接続要求をサーバ２００が受信すると（Ｓ２１０にてＹＥＳ）、サーバ２００は、ユーザ認証を行ない（Ｓ２１２）、該当するユーザの言語データを読出し（Ｓ２１４）、携帯電話１００と固定電話５００との間の、交換局４００および制御局側サーバ９００を介した通信チャネルを割当てる（Ｓ２１６）。サーバ２００から固定電話５００に、呼出し音を発生させる指示が、交換局４００および制御局側サーバ９００を介して送信され（Ｓ２３０）、固定電話５００が応答すると、携帯電話１００と固定電話５００との通信が可能な状態になる（Ｓ２３２）。通信が可能な状態になると、割当てられた通信チャネルを用いて、読み出された言語データが、交換局４００および制御局側サーバ９００を介して固定電話５００に送信される（Ｓ２３４）。
言語データを受信した固定電話５００は、呼出し音が鳴って受話器が上げられると、サーバ２００から送信された言語データを、交換局４００および制御局側サーバ９００を介して受信する（Ｓ５００にてＹＥＳ）。固定電話５００の表示部に言語データにより表わされる言語が表示され（Ｓ５０２）、受信した言語データに基づいて、自動応答メッセージの言語が切換えられる（Ｓ５０４）。なお、固定電話５００においては、固定電話５００のユーザが自ら受話器を上げて、表示部に表示された言語を見て、表示部に表示された言語で話してもよいし、受話器を上げた後、自動音声メッセージに切換えてもよい。
以上のようにして、本実施例においても、前述の実施例と同様の効果を実現できる。
第３の実施例
以下に、本発明の第３の実施例について説明する。以下の説明では、前述の第２の実施例と同様、第１の実施例と同じ構成、フローチャートについては、同じ参照符号を付してある。そのため、ここでの詳細な説明は繰返さない。
本実施例においては、サーバ２００における通話処理の手順が、前述の第１の実施例および第２の実施例と異なる。この手順について説明する。
図１３に示すフローチャートを参照して、本実施例に係るサーバ２００における通話処理について説明する。なお、以下に説明する図１３において、前述の図１０と同じ処理を行なうステップについては同じステップ番号を付してある。そのため、ここでは、それらについての詳細な説明は繰返さない。
Ｓ２１４における処理の後、Ｓ２４０にて、ＣＰＵ２２０は、携帯電話１００と固定電話５００との間の、交換局４００および制御局側サーバ９００を介した通話チャネルと制御チャネルとを割当てる（Ｓ２４０）。このとき、サーバ２００は、ネットワーク制御局８００の制御局側サーバ９００に、Ｓ２１０にて受信した接続先の固定電話５００の電話番号を送信する。制御局側サーバ９００は、固定電話５００との間の、交換局４００を介した通話チャネルと制御チャネルとを割当てる。その結果、サーバ２００と固定電話５００との間の通話チャネルと制御チャネルとが割当てられることになる。
Ｓ２４２にて、ＣＰＵ２２０は、固定電話５００に対して呼出し音を発生させるコマンドを、交換局４００および制御局側サーバ９００を介して送信する。
Ｓ２４４にて、ＣＰＵ２２０は、サーバ２００と固定電話５００との間の通話チャネルおよび制御チャネルを開いて、サーバ２００と固定電話５００とが通信可能な状態にする。このとき、サーバ２００は、通話チャネルおよび制御チャネルにより、交換局４００および制御局側サーバ９００を介して固定電話５００と通信可能な状態である。また、サーバ２００は、通話チャネルにより、携帯電話網２５０および基地局３００を介して、携帯電話１００と通信可能な状態である。その結果、携帯電話１００と固定電話５００とが、通話チャネルを介して通信可能な状態になる。
Ｓ２４６にて、ＣＰＵ２２０は、割当てられた制御チャネルを用いて、言語データを固定電話５００に、交換局４００および制御局側サーバ９００を介して送信する。Ｓ２４８にて、ＣＰＵ２２０は、割当てられた通話チャネルを用いて、携帯電話１００と固定電話５００との間の通信処理を行なう。この通信処理では、固定電話５００から、交換局４００および制御局側サーバ９００を介して送信された、言語データに対応した音声情報をＣＰＵ２２０が受信して、ＣＰＵ２２０は、携帯電話網２５０および基地局３００を介して、携帯電話１００に、その音声情報を送信する。
なお、上述のＳ２１０の接続処理、Ｓ２２６の接続終了処理等の通信接続に関する処理を、サーバ２００ではなく基地局３００にて行なう形態であってもよい。
以上のような構造およびフローチャートに基づく、通信システムの動作について説明する。
［通話動作］
携帯電話１００から固定電話５００への接続要求を、携帯電話網２５０および基地局３００を介して、サーバ２００が受信すると（Ｓ２１０にてＹＥＳ）、サーバ２００は、ユーザ認証を行ない（Ｓ２１２）、該当するユーザの言語データを読出し（Ｓ２１４）、携帯電話１００と固定電話５００との間の、、交換局４００および制御局側サーバ９００を介した通話チャネルおよび制御チャネルを割当てる（Ｓ２４０）。サーバ２００から固定電話５００に、呼出し音を発生させる指示が、交換局４００および制御局側サーバ９００を介して送信され（Ｓ２４２）、固定電話５００が応答すると（Ｓ２４４）、割当てられた制御チャネルを用いて、読み出された言語データが、交換局４００および制御局側サーバ９００を介して固定電話５００に送信される（Ｓ２４６）。割当てられた通話チャネルを用いて、携帯電話１００と固定電話５００との間で通話が行なわれる（Ｓ２４８）。
言語データを受信した固定電話５００は、呼出し音が鳴って受話器が上げられると、制御チャネルを介して言語データをサーバ２００から受信する（Ｓ５００にてＹＥＳ）。固定電話５００の表示部に言語データにより表わされる言語が表示され（Ｓ５０２）、受信した言語データに基づいて、自動応答メッセージの言語が切換えられる（Ｓ５０４）。
なお、固定電話５００においては、固定電話５００の受話器が上げられる前に（通話チャネルの回線が開く前に）、制御チャネルを介して受信した言語データにより表わされる言語を表示部に表示してもよい。
以上のようにして、本実施例においても、前述の実施例と同様の効果を実現できる。
第４の実施例
以下に、本発明の第４の実施例について説明する。以下の説明では、前述の第１の実施例と同じ構成、フローチャートについては、同じ参照符号を付してある。そのため、ここでの詳細な説明は繰返さない。
本実施例においては、サーバ２００における通話処理が、前述の第１の実施例、第２の実施例および第３の実施例と異なる。本実施例においては、サーバ２００は、固定電話５００ではなく、コンテンツサーバ６００と通信する。コンテンツサーバ６００は、ネットワーク制御局８００の制御局側サーバ９００を介してサーバ２００から受信した要求に応答して、コンテンツサーバ６００が記憶しているコンテンツを、ネットワーク制御局８００の制御局側サーバ９００を介してサーバ２００に送信することができる。
コンテンツサーバ６００は、図４および図５に示すコンピュータにより実現される。コンテンツサーバ６００は、サーバ２００と同様の構成である。コンテンツサーバ６００は、ＣＰＵ２２０に対応するＣＰＵ６２０と、メモリ２２２に対応するメモリ６２２と、固定ディスク２２４に対応する固定ディスク６２４と、通信インターフェイス２２６に対応する通信インターフェイス６２６とを含む。固定ディスク６２４には、複数のコンテンツが記憶されている。各コンテンツは、複数の言語を用いて記憶されている。
図１４に示すフローチャートを参照して、本実施例に係るサーバ２００における通話処理について説明する。なお、以下に説明する図１４において、前述の図１０と同じ処理を行なうステップについては同じステップ番号を付してある。そのため、ここでは、それらについての詳細な説明は繰返さない。
Ｓ２１６における処理の後、Ｓ２６０にて、ＣＰＵ２２０は、コンテンツサーバ６００を特定する。この処理は、携帯電話１００から受信した接続要求に含まれるＵＲＬに基づいて行なわれる。
Ｓ２３２にて、ＣＰＵ２２０は、サーバ２００とコンテンツサーバ６００との間の通信チャネルを開いて、サーバ２００とコンテンツサーバ６００とが通信可能な状態にする。このとき、サーバ２００は、ネットワーク制御局８００の制御局側サーバ９００に、Ｓ２６０にて特定されたコンテンツサーバ６００を特定する情報を送信する。制御局側サーバ９００は、インターネット７００を介して、コンテンツサーバ６００とを通信可能な状態にする。その結果、サーバ２００とコンテンツサーバ６００とが通信可能な状態になる。
Ｓ２６２にて、ＣＰＵ２２０は、コンテンツサーバ６００に、サーバ２００が受信を要求するコンテンツの識別情報を送信する。このとき、受信を要求するコンテンツの識別情報は、携帯電話１００から受信した接続要求に含まれる。このとき、サーバ２００は、ネットワーク制御局８００の制御局側サーバ９００にコンテンツを特定する識別情報を送信する。制御局側サーバ９００は、インターネット７００を介して、コンテンツの識別情報をコンテンツサーバ６００に送信する。その結果、サーバ２００からコンテンツサーバ６００にコンテンツの識別情報が送信されるようになる。
Ｓ２３４にて、ＣＰＵ２２０は、割当てられた通信チャネルを用いて、言語データをコンテンツサーバ６００に送信する。このとき、サーバ２００は、ネットワーク制御局８００の制御局側サーバ９００に言語データを送信する。制御局側サーバ９００は、インターネット７００を介して、言語データをコンテンツサーバ６００に送信する。その結果、サーバ２００からコンテンツサーバ６００に言語データが送信されるようになる。
Ｓ２６４にて、ＣＰＵ２２０は、コンテンツサーバ６００からコンテンツを受信したか否かを判断する。このとき、制御局側サーバ９００は、インターネット７００を介して、コンテンツサーバ６００からコンテンツを受信する。サーバ２００は、ネットワーク制御局８００の制御局側サーバ９００からコンテンツを受信する。その結果、サーバ２００は、コンテンツサーバ６００からコンテンツを受信するようになる。コンテンツサーバ６００からコンテンツを受信すると（Ｓ２６４にてＹＥＳ）、処理はＳ２６６へ移される。一方、コンテンツサーバ６００からコンテンツを受信しないと（Ｓ２６４にてＮＯ）、コンテンツを受信するまで待つ。
Ｓ２６６にて、ＣＰＵ２２０は、Ｓ２６４にてコンテンツサーバ６００から受信したコンテンツを携帯電話１００に送信する。Ｓ２２８にて、ＣＰＵ２２０は、サーバ２００と固定電話５００との間の通信回線を切断する。
図１４に示すフローチャートを参照して、本実施例に係るコンテンツサーバ６００における通話処理について説明する。
Ｓ６００にて、ＣＰＵ６２０は、サーバ２００から、サーバ２００が受信を要求するコンテンツの識別情報を受信したか否かを判断する。このとき、サーバ２００は、ネットワーク制御局８００の制御局側サーバ９００にコンテンツの識別情報を送信する。コンテンツサーバ６００は、制御局側サーバ９００により送信されたコンテンツの識別情報を、インターネット７００を介して受信する。その結果、コンテンツサーバ６００は、コンテンツの識別情報を、サーバ２００から受信することになる。サーバ２００からコンテンツの識別情報を受信すると（Ｓ６００にてＹＥＳ）、処理はＳ６０２へ移される。一方、サーバ２００からコンテンツの識別情報を受信しないと（Ｓ６００にてＮＯ）、処理はＳ６００へ戻され、コンテンツの識別情報を受信するまで待つ。
Ｓ６０２にて、ＣＰＵ６２０は、サーバ２００から、言語データを受信したか否かを判断する。このとき、サーバ２００は、ネットワーク制御局８００の制御局側サーバ９００に言語データを送信する。コンテンツサーバ６００は、制御局側サーバ９００により送信された言語データを、インターネット７００を介して受信する。その結果、コンテンツサーバ６００は、言語データを、サーバ２００から受信することになる。サーバ２００から言語データを受信すると（Ｓ６０２にてＹＥＳ）、処理はＳ６０４へ移される。一方、サーバ２００から言語データを受信しないと（Ｓ６０２にてＮＯ）、処理はＳ６０２へ戻され、言語データを受信するまで待つ。
Ｓ６０４にて、ＣＰＵ６２０は、固定ディスク６２４に記憶されたコンテンツから、Ｓ６００にて受信したコンテンツの識別情報により特定されるコンテンツであって、Ｓ６０２にて受信した言語データの言語により記述されたコンテンツを検索する。
Ｓ６０６にて、ＣＰＵ６２０は、固定ディスク６２４の中に所望のコンテンツを検索できたか否かを判断する。所望のコンテンツが検索できると（Ｓ６０６にてＹＥＳ）、処理はＳ６０８へ移される。一方、所望のコンテンツが検索できないと（Ｓ６０６にてＮＯ）、処理はＳ６１２へ移される。
Ｓ６０８にて、ＣＰＵ６２０は、固定ディスク６２４から所望のコンテンツを読出す。Ｓ６１０にて、ＣＰＵ６２０は、読出したコンテンツをサーバ２００に送信する。その後、処理は終了する。
Ｓ６１２にて、ＣＰＵ６２０は、エラー情報をサーバ２００に送信する。その後、処理は終了する。
なお、エラー情報を受信したサーバ２００は、受信したエラー情報を携帯電話１００に送信する。
なお、上述のＳ２１０の接続処理、Ｓ２２８の接続終了処理等の通信接続に関する処理を、サーバ２００ではなく基地局３００にて行なう形態であってもよい。
以上のような構造およびフローチャートに基づく、通信システムの動作について説明する。
［コンテンツ通信動作］
携帯電話１００のユーザは、携帯電話１００の操作部１３２を用いて、コンテンツサーバ６００を特定する情報と、コンテンツを特定する識別情報とを入力する。携帯電話１００が入力された接続要求を、携帯電話網２５０および基地局３００を介してサーバ２００に送信すると、サーバ２００が接続情報を受信する（Ｓ２１０にてＹＥＳ）。サーバ２００は、ユーザ認証を行ない（Ｓ２１２）、該当するユーザの言語データを読出し（Ｓ２１４）、携帯電話１００とコンテンツサーバ６００との間の通話チャネルが割当てられる（Ｓ２１６）。
サーバ２００により、コンテンツサーバ６００が特定され（Ｓ２６０）、インターネット７００および制御局側サーバ９００を介して、サーバ２００とコンテンツサーバ６００とが通信可能な状態になる（Ｓ２３２）。サーバ２００からコンテンツサーバ６００に、インターネット７００および制御局側サーバ９００を介して、受信を要求するコンテンツの識別情報と（Ｓ２６２）、言語データとが送信される（Ｓ２３４）。
サーバ２００からコンテンツの識別情報が送信されたことに応答して、コンテンツサーバ６００は、コンテンツの識別情報を、インターネット７００および制御局側サーバ９００を介して受信する（Ｓ６００にてＹＥＳ）。サーバ２００から言語データが送信されたことに応答して、コンテンツサーバ６００は、言語データを、インターネット７００および制御局側サーバ９００を介して受信する（Ｓ６０２にてＹＥＳ）。言語データにより特定される言語により記憶された所望のコンテンツが検索され（Ｓ６０４）、所望のコンテンツが検索できると（Ｓ６０６にてＹＥＳ）、固定ディスク６２４からコンテンツを読出して（Ｓ６０８）、サーバ２００に読出したコンテンツが、インターネット７００および制御局側サーバ９００を介して送信される（Ｓ６１０）。
コンテンツサーバ６００から言語データにより特定される言語で記述されたコンテンツは、携帯電話１００に送信され、携帯電話１００の表示部１３４に表示される。
なお、コンテンツサーバ６００から携帯電話１００へのコンテンツの送信は、以下のようにしてもよい。Ｓ２６２における処理において、サーバ２００は、コンテンツ識別情報とともに、コンテンツの受信を要求する携帯電話１００のＥ−ｍａｉｌアドレスをコンテンツサーバ６００に、インターネット７００および制御局側サーバ９００を介して送信する。Ｓ６０４にて、コンテンツサーバ６００は、サーバ２００から言語データを受信すると、一旦通信回線を切断する。コンテンツサーバ６００は、所望のコンテンツを読出して、読出したコンテンツを、受信したＥ−ｍａｉｌアドレス宛に送信する。このようにしても、携帯電話１００のユーザが希望する言語により記述されたコンテンツが、携帯電話１００に送信される。
以上のようにして、本発明によれば、携帯電話のユーザが、言語情報を携帯電話に設定することなく、携帯電話に着脱自在な記録媒体に記録された言語情報の言語を用いたコンテンツを、携帯電話に受信して表示できる。
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
産業上の利用可能性
以上のように、この通信システムによれば、端末は、着脱自在な記録媒体に記録された言語情報をサーバに送信し、サーバは、送信された言語情報を端末毎に記憶する。サーバは、端末から接続先を受信すると、その接続先に言語情報を送信し、送信した言語情報に応答した情報を受信することができる。そのため、この発明の通信システムは、多くの言語を切換えて情報が通信される通信システムに適している。
【図面の簡単な説明】
図１は、この発明に係る通信システムの全体図である。
図２は、この発明に係る通信システムに用いられる携帯電話の外観図である。
図３は、図２に示す携帯電話の制御ブロック図である。
図４は、この発明に係る通信システムに用いられるサーバを実現するコンピュータの外観図である。
図５は、図４に示す携帯電話の制御ブロック図である。
図６は、ＵＳＩＭのデータ構造を示す図である。
図７は、携帯電話からサーバに送信される言語情報の構造を表わす図である。
図８は、サーバに記憶されるデータベースを表わす図である。
図９は、携帯電話、基地局およびサーバにおける処理を表わすフローチャートである。
図１０は、サーバにおける処理を表わすフローチャート（その１）である。
図１１は、固定電話における処理を表わすフローチャート（その１）である。
図１２は、サーバにおける処理を表わすフローチャート（その２）である。
図１３は、サーバにおける処理を表わすフローチャート（その３）である。
図１４は、サーバおよびコンテンツサーバにおける処理を表わすフローチャートである。
【図１】
2002060165.tif 000003
【図２】
2002060165.tif 000004
【図３】
2002060165.tif 000005
【図４】
2002060165.tif 000006
【図５】
2002060165.tif 000007
【図６】
2002060165.tif 000008
【図７】
2002060165.tif 000009
【図８】
2002060165.tif 000010
【図９】
2002060165.tif 000011
【図１０】
2002060165.tif 000012
【図１１】
2002060165.tif 000013
【図１２】
2002060165.tif 000014
【図１３】
2002060165.tif 000015
【図１４】
2002060165.tif 000016
【国際調査報告】
2002060165.tif 000017
2002060165.tif 000018
2002060165.tif 000019
2002060165.tif 000020